(57)【要約】【課題】制御基板に対する不正行為をより確実に防止可能な基板ケースユニットを提供する。【解決手段】主制御基板ケースユニット１００は、ボトムケース１２０とトップケース１３０とを互いの開口同士を相対向させて、ボトムケース１２０の側壁１２１ｂの外面とトップケース１３０の側壁１３１ｂの内面とを互いに向い合せた状態でボトムケース１２０をトップケース１３０に嵌め合せて閉止状態に組み付けられ、該閉止状態において形成される内部空間に主制御基板４１が収容されて構成され、側壁１２１ａの外面側には嵌合方向と直交する方向に突出するロック爪１２２が設けられ、側壁１３１ｂの内面側には閉止状態においてロック爪１２２と係合するロック溝１３２が設けられている。【選択図】図５
2014136019.tif 000002
【特許請求の範囲】
【請求項１】
第１底壁及び前記第１底壁の周縁から立設された第１側壁を有して、一方に開口を有する有底箱状に形成された第１ケース部材と、
第２底壁及び前記第２底壁の周縁から立設された第２側壁を有して、一方に開口を有する有底箱状に形成された第２ケース部材と、を備え、
前記第１ケース部材と前記第２ケース部材とを互いの開口同士を相対向させて、前記第１側壁の外面と前記第２側壁の内面とを互いに向い合せた状態で前記第１ケース部材を前記第２ケース部材に嵌め合せて閉止状態に組み付けられ、前記閉止状態において形成される内部空間に制御基板が収容されて構成される基板ケースユニットであって、
前記第１側壁の前記外面側には、前記嵌合方向と直交する方向に突出する係合爪が設けられ、
前記第２側壁の前記内面側には、前記閉止状態において、前記係合爪と係合する係合溝が設けられていることを特徴とする基板ケースユニット。
【請求項２】
前記第１底壁と前記第２底壁とは前記閉止状態において相対向し、
前記第１底壁及び前記第２底壁には、前記内部空間側に突出するロック部と被ロック部とが１組ずつ設けられ、
前記第１ケース部材と前記第２ケース部材とを嵌合させたとき、前記内部空間において、前記第１底壁の前記ロック部と前記第２底壁の前記被ロック部とが係合するとともに、前記第１底壁の前記被ロック部と前記第２底壁の前記ロック部とが係合することを特徴とする請求項１に記載の基板ケースユニット。
【請求項３】
前記第１ケース部材及び前記第２ケース部材は、前記第１ケース部材の前記外面と前記第２ケース部材の前記内面とが印籠合わせとなる印籠嵌合によって組み付けられ、
前記閉止状態において、前記第１ケース部材の前記第１底壁と前記第２ケース部材の前記第２側壁とが前記第２ケース部材の開口面側において面一状態となることを特徴とする請求項１又は２に記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパ等の工具を用いて切り離さない限り基板ケースを開放不能にする不正開放防止構造が設けられている（例えば、特許文献１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、第１底壁（例えば、実施形態における基壁１２１ａ）及び第１底壁の周縁から立設された第１側壁（例えば、実施形態における側壁１２１ｂ）を有して、一方に開口を有する有底箱状に形成された第１ケース部材（例えば、実施形態におけるボトムケース１２０）と、第２底壁（例えば、実施形態における基壁１３１ａ）及び第２底壁の周縁から立設された第２側壁（例えば、実施形態における側壁１３１ｂ）を有して、一方に開口を有する有底箱状に形成された第２ケース部材（例えば、実施形態におけるトップケース１３０）とを備え、第１ケース部材と第２ケース部材とを互いの開口同士を相対向させて、第１側壁の外面と第２側壁の内面とを互いに向い合せた状態で第１ケース部材を第２ケース部材に嵌め合せて閉止状態に組み付けられ、閉止状態において形成される内部空間に制御基板（例えば、実施形態における主制御基板４１）が収容されて構成される基板ケースユニット（例えば、実施形態における主制御基板ケースユニット１００）であって、第１側壁の外面側には嵌合方向と直交する方向に突出する係合爪（例えば、実施形態におけるボトム側係合突起１２２）が設けられ、第２側壁の内面側には閉止状態において係合爪と係合する係合溝（トップ側係合溝１３２）が設けられて構成される。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】本実施形態に係る主制御基板ケースユニットの斜視図である。
【図４】本実施形態に係る主制御基板ケースユニットの平面図である。
【図５】図４における矢印V−Vに沿って示す断面図である。
【図６】図４における矢印VI−VIに沿って示す断面図である。
【図７】本実施形態に係る主制御基板ケースユニットのボトムケースを示し、（ａ）は平面図、（ｂ）は正面図、（ｃ）は側面図である。
【図８】図７における矢印VIII−VIIIに沿って示す断面図である。
【図９】本実施形態に係る主制御基板ケースユニットのトップケースの平面図である。
【図１０】図９における矢印X−Xに沿って示す断面図である。
【図１１】本実施形態に係る主制御基板ケースユニットにおける不正開放防止構造の作用を説明するための模式図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に
落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００及び演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００）や、遊技展開に応じた画像表示、効果照明、効果音等の演出全般の制御を行う演出制御基板４２（演出制御基板ケースユニット２００）などが取り付けられている。これに対して、裏セット盤３０の背面側には、遊技球の発射及び払い出しに関する制御を行う払出制御基板４３（払出制御基板ケースユニット３００）や、遊技施設側から受電して各種制御基板や電気・電子部品に電力を供給する電源基板４４（電源基板ケースユニット４００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出されて、以降パチンコゲームが展開される。
【００１９】
［主制御基板ケースユニットの構成］
次に、本実施形態に係る主制御基板ケースユニット１００の構成について図３〜図１０を追加参照して説明する。ここで、図３は主制御基板ケースユニット１００の分解斜視図、図４は主制御基板ケースユニット１００の平面図、図５は図４における矢印V−Vに沿って示す断面図、図６は図４における矢印VI−VIに沿って示す断面図、図７は主制御基板ケースユニット１００におけるボトムケースを示し、（ａ）は平面図、（ｂ）は正面図、（ｃ）は側面図、図８は図７における矢印VIII−VIIIに沿って示す断面図、図９はトップケースの平面図、図１０は図９における矢印X−Xに沿って示す断面図である。なお、以降の説明においては、説明の便宜のため、上下及び左右前後の方向は、図３の状態を基準にして定義しており、図３に示す矢印の方向をそれぞれ前後、左右、上下と称して説明する。
【００２０】
主制御基板ケースユニット１００は、ぱちんこ遊技機ＰＭにおける制御の中枢を担う前述の主制御基板４１と、主制御基板４１を内部に収容する略矩形容器状の基板ケース１１０と、を主体として構成されている。なお、主制御基板ケースユニット１００は、遊技盤１０の背面側に、例えば不図示のナイラッチ（登録商標）などを用いて、着脱自在に取り
付けられる。
【００２１】
主制御基板４１は、詳細図示を省略しているが、矩形形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面側にビス止め固定される。主制御基板４１には、表裏に貫通する２カ所の基板挿通孔４１ａが開設されている。
【００２２】
基板ケース１１０は、遊技盤１０の背面に着脱されるボトムケース１２０と、このボトムケース１２０を収容するトップケース１３０とを備えて構成されており、ボトムケース１２０とトップケース１３０とが協働して主制御基板４１を内部に収容する。ボトムケース１２０及びトップケース１３０は、互いの開口同士を相対向させた状態で組み合わされて一体化される。ボトムケース１２０及びトップケース１３０は、共に透明な樹脂材料（例えば、ポリカーボネート等）を用いて射出成形等の成形手段により形成され、外部からでも基板ケース１１０内を視認可能に構成されている。
【００２３】
ボトムケース１２０は、基壁１２１ａ及びこの基壁１２１ａの周縁から立設される前後左右の側壁１２１ｂを有し、全体として下面開放の矩形箱状に形成されたボトムケース本体１２１を主体として構成される。ボトムケース本体１２１には、基壁１２１ａと四方の側壁１２１ｂとに囲まれて下方に開口するボトム側空間１２１Ｓが形成されており、このボトム側空間１２１Ｓ内にトップケース１３０に保持された主制御基板４１を収容可能になっている。なお、主制御基板ケースユニット１００が遊技盤１０に取り付けられた状態では、このボトムケース１２０の基壁１２１ａの背面と遊技盤１０の背面とが近接対向（又は当接）するようになっている。
【００２４】
トップケース１３０は、基壁１３１ａ及びこの基壁１３１ａの周縁から立設される前後左右の側壁１３１ｂを有し、全体として上面開放の矩形箱状に形成されたトップケース本体１３１を主体として構成されており、ボトムケース１２０と上下方向（「ケース嵌合方向」とも称する）に嵌合可能である。トップケース本体１３１は、基壁１３１ａと四方の側壁１３１ｂとに囲まれて上方に開口するトップ側空間１３１Ｓが形成されており、このトップ側空間１３１Ｓ内に主制御基板４１及びボトムケース１３０を収容可能になっている。トップケース本体１３１における基壁１３１ａの内面側には、該内面側の一方の対角線上に配されて、主制御基板４１をトップ側空間１３１Ｓ内に固定するための２カ所のネジボス１３１ｃが設けられており、これにより主制御基板４１が２カ所のネジボス１３１ｃによってビス止め固定されるようになっている。トップケース本体１３１の基壁１３１ａには、主制御基板４１のコネクタ（図示省略）の実装位置に対応して表裏に貫通するコネクタ挿抜口１３１ｄが形成されており、主制御基板４１がトップケース１３０に取り付けられた状態で、主制御基板４１のコネクタがコネクタ挿抜口１３１ｄを通して外部に露出し、演出制御基板４２や払出制御基板４３等とハーネス（コネクタケーブル）を介して電気接続可能となる。
【００２５】
かかる構成の基板ケース１１０において、ボトムケース１２０はトップケース１３０のトップ側空間１３１Ｓと略同一の大きさに形成されており、ボトムケース１２０がトップ側空間１３１Ｓ内に嵌め込まれてトップケース１３０内に組み付けられるようになっている。その結果、ボトムケース１２０の各側壁１２１ｂとトップケース１３０の各側壁１３１ｂとが前後左右の四方においてそれぞれ極僅かなクリアランスで対峙した印籠構造による嵌合いのもとでボトムケース１２０とトップケース１３０とが一体化されるとともに、ボトムケース１２０の基壁１２１ａとトップケース１３０の四方の側壁１３１ｂとが基板ケース１１０の下側底面において略同一面内に位置する面一の状態となる。そして、このようにボトムケース１２０とトップケース１３０とを組み付けた閉止状態にて画成される
ケース内部に、詳細次述する不正開放防止構造が構成されている。
【００２６】
不正開放防止構造は、ボトムケース１２０及びトップケース１３０の四方の側壁１２１ｂ，１３１ｂ間に形成される第１ロック構造と、ボトムケース１２０及びトップケース１３０の基壁１２１ａ，１３１ａ間に形成される第２ロック構造と、から構成される。
【００２７】
第１ロック構造は、ボトムケース１２０の各側壁１２１ｂに形成されたボトム側係合突起１２２と、トップケース１３０の各側壁１３１ｂに形成されたトップ側係合溝１３２とからなり、ボトムケース１２０がトップケース１３０に収容された嵌合状態において、４カ所のボトム側係合突起１２２と４カ所のトップ側係合溝１３２とがそれぞれ位置整合して係合連結するように構成されている。
【００２８】
ボトム側係合突起１２２は、ボトムケース本体１２１の側壁１２１ｂの上端から下端に向けて直線状に延びる二条の切り込みが並行に開設されることで、該側壁１２１ｂの板厚方向（ケース嵌合方向と直交する方向）に弾性変形可能に構成されている。ボトム側係合突起１２２の先端側（自由端側）には、ボトムケース１２０の外方向に向けて突出する略鉤爪状の係止爪１２２ａが設けられている。
【００２９】
トップ側係合溝１３２は、トップケース本体１３１の側壁１３１ｂの内面側において断面矩形の凹溝状に形成されており、ボトム側係合突起１２２の係止爪１２２ａを受容してボトム側係合突起１２２と係合可能に形成されている。
【００３０】
第２ロック構造は、ボトムケース本体１２１の基壁１２１ａに形成されたボトム側ロック部１２３及びボトム側被ロック部１２４と、トップケース本体１３１の基壁１３１ａに形成されたトップ側ロック部１３３及びトップ側被ロック部１３４とからなり、ボトムケース１２０がトップケース１３０に収容された嵌合状態においてボトム側ロック部１２３とトップ側被ロック部１３４とが位置整合して係合連結するとともに、ボトム側被ロック部１２４とトップ側ロック部１３３とが位置整合して係合連結するように構成されている。本実施形態では、ボトム側ロック部１２３とトップ側ロック部１３３とが同一形状であるとともに、ボトム側被ロック部１２４とトップ側被ロック部１３４とが同一形状である。
【００３１】
ボトム側ロック部１２３は、ボトムケース本体１２１の基壁１２１ａに立設された軸部１２３ａと、この軸部１２３ａの先端から下方に湾曲して延びる一対の弾性爪１２３ｂと、から形成されている。一対の弾性爪１２３ｂは、正面視で略ハ字状（末広がり）に配置されており、互いに近接及び離間する方向に弾性変形可能である。
【００３２】
同様に、トップ側ロック部１３３は、トップケース本体１３１の基壁１３１ａに立設された軸部１３３ａと、この軸部１３３ａの先端から下方に湾曲して延びる一対の弾性爪１３３ｂと、から形成されている。一対の弾性爪１３３ｂは、正面視で略ハ字状（末広がり）に配置されており、互いに近接及び離間する方向に弾性変形可能である。
【００３３】
これに対して、ボトム側被ロック部１２４は、所定の間隔をあけてボトムケース本体１２１の基壁１２１ａに立設された一対の脚部１２４ａと、各脚部１２４ａの先端から略直角に屈曲して互いの対向方向に向けて延びる一対の係止部１２４ｂと、から形成されている。ボトム側被ロック部１２４には、相対向する一対の係止部１２４ｂによって、トップ側ロック部１３３の一対の弾性爪１３３ｂが挿入方向には通過可能であるが抜去方向（反挿入方向）には通過不能となる被係止口１２４ｃが形成されている。つまり、被係止口１２４ｃの幅（一対の係止部１２４ｂの間隔）は、一対の弾性爪１３３ｂが縮閉状態（撓み状態）のときは通過可能な大きさであるが、一対の弾性爪１３３ｂが拡開状態（復元状態
）のときは通過不能な大きさに形成されており、これにより拡開状態の一対の弾性爪１３３ｂと係止口１２４ｃとが係合可能に構成される。
【００３４】
同様に、トップ側被ロック部１３４は、所定の間隔をあけてトップケース本体１３１の基壁１３１ａに立設された一対の脚部１３４ａと、各脚部１３４ａの先端から略直角に屈曲して互いの対向方向に向けて延びる一対の係止部１３４ｂと、から形成されている。トップ側被ロック部１３４には、相対向する一対の係止部１３４ｂによって、ボトム側ロック部１２３の一対の弾性爪１２３ｂが挿入方向には通過可能であるが抜去方向（反挿入方向）には通過不能となる被係止口１３４ｃが形成されている。つまり、被係止口１３４ｃの幅（一対の係止部１３４ｂの間隔）は、一対の弾性爪１２３ｂが縮閉状態（撓み状態）のときは通過可能な大きさであるが、一対の弾性爪１２３ｂが拡開状態（復元状態）のときは通過不能な大きさに形成されており、これにより拡開状態の一対の弾性爪１２３ｂと係止口１３４ｃとが係合可能に構成される。
【００３５】
次に、このように構成される主制御基板ケースユニット１００における不正開放防止構造の作用について、図１１を追加参照して説明する。ここで、図１１は不正開放防止構造の作用を説明するための模式図である。
【００３６】
主制御基板ケースユニット１００を組み立てるには、まず始めに、図１１（ａ）に示すように、ボトムケース１２０とトップケース１３０とを互いの開口同士を相対向させた状態で前後に配置して、ボトムケース１２０をトップケース１３０のトップ側収容空間１３１Ｓに位置合わせする。なお、このときトップケース１３０の内面側には、主制御基板４１がビス止め固定されており、トップケース１３０のトップ側ロック部１３３及びトップ側被ロック部１３４は主制御基板４１の基板挿通孔４１ａに挿通されている。
【００３７】
この状態からボトムケース１２０をトップ側収容空間１３１Ｓに嵌め込むと、ボトム側係合突起１２２とトップ側係合溝１３２とが位置整合するとともに、ボトム側ロック部１２３及びボトム側被ロック部１２４とトップ側ロック部１３３及びトップ側被ロック部１３４とがそれぞれ位置整合して、第１ロック構造及び第２ロック構造が基板ケース１１０を開放不能に作用することとなる。
【００３８】
まず、ボトムケース１２０がトップ側収容空間１３１Ｓに嵌入され始めると、第１ロック構造においては、図１１（ｂ）に示すように、トップケース本体１３１の側壁１３１ｂによってボトムケース１２０の係止爪１２２ａが内方向に押圧されて、ボトム側係合突起１２２が弾性変形して撓んだ状態となり、トップケース本体１３１の側壁１３１ｂと係止爪１２２とは摺接した状態を維持する。他方、第２ロック構造においては、図１１（ｂ）に示すように、ボトム側ロック部１２３，１３３における一対の弾性爪１２３ｂ，１３３ｂが被ロック部１２４，１３４の被係止口１２４ｃ，１３４ｃに差し込まれる。そして、一対の弾性爪１２３ｂ，１３３ｂは、被係止口１２４ｃ，１３４ｃの内壁によって互いの対向方向に押圧されたうえ、末広がりに開脚した拡開状態から内側に縮閉しつつ被係止口１２４ｃ，１３４ｃを通過していく。
【００３９】
続いて、ボトムケース１２０がトップケース１３０のトップ側空間１３１Ｓ内に完全に嵌合されると、第１ロック構造においては、図１１（ｃ）に示すように、ボトム側係合突起１２２の係止爪１２２ａがトップ側係合溝１３２の位置まで到達して、側壁１３１ｂからボトム側係合突起１２２への押圧が解放される。その結果、ボトム側係合突起１２２が自身の復元弾性によって元の起立状態に復帰し、ボトム側係合突起１２２と係合溝１３２とが係合することとなる。これと同時に、第２ロック構造においては、図１１（ｃ）に示すように、一対の弾性爪１２３ｂ，１３３ｂが被係止口１２４ｃ，１３４ｃを完全に通過し、被係止口１２４ｃ，１３４ｃの内壁から弾性爪１２３ｂ，１３３ｂへの押圧が解放さ
れる。その結果、一対の弾性爪１２３ｂ，１３３ｂは自身の復元弾性によって元の拡開状態に復帰し、ロック部１２３，１３３の弾性爪１２３ｂ，１３３ｂと被ロック部１２４，１３４の被係止口１２４ｃ，１３４ｃとが係合する。
【００４０】
こうしてボトムケース１２０がトップケース１３０に組み付けられると、第１ロック構造及び第２ロック構造が協働してボトムケース１２０とトップケース１３０とが閉止状態で連結固定される。このとき、基板ケース１１０の内部に密閉且つ隠蔽された形で第１ロック構造及ぶ第２ロック構造が基板ケース１１０を開放不能に作用するため、基板ケース１１０の外部から不正開放防止構造にアクセスするのは極めて困難であり、不正開放防止構造を不正に操作して基板ケース１１０を開放することができなくなる。また、ボトムケース１２０とトップケース１３０とが印籠構造による嵌め合いによって密閉されるとともに、ボトムケース１２０がトップケース１３０に面一状態で収容されるため、基板ケース１１０をこじ開けるための隙間や壁が存在しなくなり、こじ開けに対する耐力が高められる。これにより基板ケース１１０が強固な閉止状態に保持されて不正な開放が防止されるため、主制御基板４１に対する電子部品の交換や改造等の不正行為を受け難くすることが可能となる。
【００４１】
以上、本実施形態に係る主制御基板ケースユニット１００では、ボトムケース１２０とトップケース１３０とを互いの開口同士を相対向させた状態でボトムケース本体１２１の側壁１２１ｂの外面をトップケース本体１３１の側壁１３１ｂの内面に嵌め合せて閉止状態に組み付け、ボトムケース本体１２１の側壁１２１ｂの外面側にケース嵌合方向と直交する方向に突出するボトム側係合突起１２２を設けるとともに、トップケース本体１３１の側壁１３１ｂの内面側に閉止状態においてボトム側係合突起１２２と係合するトップ側係合溝１３２を設けて、（従前のように不正開放防止構造が基板ケース１１０の外部に露出した状態で装備されるのではなく）基板ケース１１０の内部に密閉且つ隠蔽された形でボトム側係合突起１２２とトップ側係合溝１３２とを係合させる構成であるため、基板ケース１１０の外部からボトム側ロック部１２３及びトップ側ロック部１３３へアクセスして係合を解除するのは非常に困難であり、基板ケース１１０の不正な開放を確実に抑止して主制御基板４１に対する不正な改造行為を受け難くすることが可能である。また、基板ケース１１０を開放するためには、基板ケース１１０を大きく破壊する必要があり、その場合には破壊の痕跡が明瞭に残存することとなるため、不正な開放の履歴を認識することで、基板ケース１１０の不正な開放を早期に発見することができる。従って、本実施形態によれば、不正行為の予防及び早期発見に寄与することが可能であるという効果を奏する。
【００４２】
また、本実施形態に係る主制御基板ケースユニット１００では、ボトムケース１２０及びトップケース１３０に互いに係合可能なロック部１２３，１３３及び被ロック部１２４，１３４の組をそれぞれ１組ずつ設け、基板ケース１１０の内部に密閉且つ隠蔽された形で２組のロック部１２３，１３３と被ロック部１２４，１３４とがそれぞれ係合する構成であるので、基板ケース１１０を開放するためには、ボトムケース１２０のボトム側ロック部１２３とトップケース１３０のトップ側ロック部１３３との両方を外部から破壊しなければならず、基板ケース１１０の構成部品たる、ボトムケース１２０及びトップケース１３０の何れについても痕跡を残さず無傷の状態で再使用することが困難となり、いわゆるニコイチ（二個一）と称される不正な再使用による組立行為を確実に抑止することが可能である。
【００４３】
また、本実施形態に係る主制御基板ケースユニット１００では、ボトムケース本体１２１における四方の側壁１２１ｂの外面とトップケース本体１３１における四方の側壁１３１ｂの内面とが印籠合わせとなる印籠嵌合によって組み付けられ、基板ケース１１０の閉止状態において、ボトムケース本体１２１の基壁１２１ａとトップケース本体１３１の側壁
１３１ｂとがトップケース１３１の開口面側において略同一面内に位置する面一状態となるため、基板ケース１１０をこじ開けるための隙間や壁が存在しなくなり、こじ開けに対する耐力が高められる。
【００４４】
なお、本発明は、上記実施形態に限定されるものではなく、本発明の要旨を逸脱しない範囲であれば適宜改良可能である。
【００４５】
上述の実施形態では、ボトムケース１２０及びトップケース１３０の前後左右の各側壁１２１ｂ，１３１ｂに、第１ロック構造として、ボトム側係合突起１２２及びトップ側係合溝１３２を設けた構成を例示して説明したが、この構成に限定されるものではなく、四方の側壁１２１ｂ，１３１ｂのうちの少なくとも１か所に、ボトム側係合突起１２２及びトップ側係合溝１３２を設けるだけでもよい。
【００４６】
また、上述の実施形態では、不正開放防止構造のみを具備する基板ケースユニットを適用しているが、この構成に限定されるものではなく、不正開放防止構造及び封印シール構造の両方を具備する基板ケースユニットであってもよい。
【００４７】
また、上述の実施形態では、不正開放防止構造を基板ケースの内部に配置していることを特徴としているが、この不正開放防止構造と共に、基板ケースの外部に露出したかたちで設けられる従来型の不正開放防止構造（いわゆるカシメ構造）を併設して、不正開放行為をより厳重に防止することとしてもよい。
【００４８】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００４９】
ＰＭ  ぱちんこ遊技機
１  外枠
２  前枠
５  ガラス扉
１０  遊技盤
４１  主制御基板
１００  主制御基板ケースユニット（基板ケースユニット）
１１０  基板ケース
１２０  ボトムケース（第１ケース部材）
１２１  ボトムケース本体
１２１ａ  基壁（第１底壁）
１２１ｂ  側壁（第１側壁）
１２１Ｓ  ボトム側空間（内部空間）
１２２  ボトム側係合突起（係合爪）
１２３  ボトム側ロック部（ロック部）
１２４  ボトム側被ロック部（被ロック部）
１３０  トップケース（第２ケース部材）
１３１  トップケース本体
１３１ａ  基壁（第２底壁）
１３１ｂ  側壁（第２基壁）
１３１Ｓ  トップ側空間（内部空間）
１３２  トップ側係合溝（係合溝）
１３３  トップ側ロック部（ロック部）
１３４  トップ側被ロック部（被ロック部）
【図１】
2014136019.tif 000003
【図２】
2014136019.tif 000004
【図３】
2014136019.tif 000005
【図４】
2014136019.tif 000006
【図５】
2014136019.tif 000007
【図６】
2014136019.tif 000008
【図７】
2014136019.tif 000009
【図８】
2014136019.tif 000010
【図９】
2014136019.tif 000011
【図１０】
2014136019.tif 000012
【図１１】
2014136019.tif 000013